(57)【要約】  間仕切り取付けシステムは、一体式プランジャ・アセンブリを含んでいる。一体式プランジャ・アセンブリは、例えば、標準的な入れ子式伸縮ポール等の伸縮ポールの端の内部に一体化されるよう構成／配置されている。このようにポールの内部にプランジャを取付けることにより、比較的軽量な細みの設計を提供する。アンカーが取付けられたポールが入れ子式ポール・システムの一部であると仮定すれば、アンカーおよびプランジャは、内側のポールが入れ子式システムの他のポールに対して自在に移動することを妨げない。このように、入れ子式ポール・システムの動作は、一体式プランジャ・アセンブリにより阻害されない。
2007537378.tif 000002
【特許請求の範囲】
【請求項１】
下端および上端を有する細長い可変長ポールであって長手方向の軸を有するポールと、
上端に近い位置で前記ポールの内側に固定されたアンカーと、
前記ポールの上端から延びて、前記アンカー位置に対して前記ポールの長手方向に沿って移動する取付けヘッドであって、シート状の材料を取外し可能なように固定する取付けユニットを含む取付けヘッドと、
前記ヘッドの位置を、前記アンカーから遠ざかる外側方向へ押し出す圧迫機構と、
を含む間仕切り取付け台。
【請求項２】
前記取付けヘッドの移動距離を制御することにより、前記取付けヘッドが前記ポールから外れるのを防ぐリテナーを更に含む、請求項１に記載の間仕切り取付け台。
【請求項３】
前記リテナーが細長いワイヤを含む、請求項２に記載の間仕切り取付け台。
【請求項４】
前記アンカーおよびリテナーは、前記圧迫機構が第１の圧迫を受ける第１の位置と、前記取付けヘッドの少なくとも一部が前記ポール内にあって前記圧迫機構が前記第１の圧迫より弱い圧迫を受ける第２の位置との間を前記取付けヘッドが移動するのを許容する、請求項２に記載の間仕切り取付け台。
【請求項５】
前記ポールが、複数の入れ子部材を有する伸縮ポールを含み、且つ前記ポールの上端が前記伸縮ポールの内側部材にある、請求項１に記載の間仕切り取付け台。
【請求項６】
前記伸縮ポールが更に、隣接するポール部材の位置を相互に固定させるロック機構を含む、請求項５に記載の間仕切り取付け台。
【請求項７】
前記ポールの内側部材が前記ポールの他の部材に対するスライド動作を阻害しないよう、前記アンカーが前記ポールの内側部材に固定されている、請求項５に記載の間仕切り取付け台。
【請求項８】
前記取付けユニットが、間にシート状の材料を固定する第１および第２部分を含む、請求項１に記載の間仕切り取付け台。
【請求項９】
前記取付けヘッドの第１および第２部分が、前記ポールの長手方向に直交する方向へ延びている、請求項８に記載の間仕切り取付け台。
【請求項１０】
前記第１部分が少なくとも１個のピンを含んでいて、前記第２部分が前記少なくとも１個のピンを受け入れる少なくとも１個の開口部を含む、請求項８に記載の間仕切り取付け台。
【請求項１１】
前記少なくとも１個のピンと前記少なくとも１個の開口部がスナップ留め関係に係合して、前記第１および第２部分を一緒に固定する、請求項１０に記載の間仕切り取付け台。
【請求項１２】
前記少なくとも１個の開口部が爪穴およびスロットを含んでいて、前記係合する少なくとも１個のピンが保持用ノブを含んでおり、各ピンを係合する爪穴に挿入して、前記爪穴から前記スロット内へ前記ピンをスライドさせ、前記ピンが前記保持用ノブにより前記開口部内で保持されることにより前記第１および第２部分が固定される、請求項１０に記載の間仕切り取付け台。
【請求項１３】
前記第１部分がヘッドを含んでいて、前記第２部分が取外し可能なようにヘッドに連結されたクリップを含む、請求項８に記載の間仕切り取付け台。
【請求項１４】
前記第１部分が、前記第２部分の少なくとも１個の側面の周辺まで延びる複数のレッグを含む、請求項８に記載の間仕切り取付け台。
【請求項１５】
前記レッグが更に、前記第２部分の第２表面の周辺まで延び、前記第２表面は、第２部分が第１部分および挿入されたシート状の材料に接触する第２部分の第１表面の反対側にある、請求項１４に記載の間仕切り取付け台。
【請求項１６】
前記第１部分がヘッドを含んでいて、前記第２部分はヘッドと取外し可能なように連結されたクリップを含む、請求項１５に記載の間仕切り取付け台。
【請求項１７】
前記第１および第２部分を連結するテザーを更に含む、請求項８に記載の間仕切り取付け台。
【請求項１８】
前記テザーが、前記第１および第２部分のうち少なくとも１個から取外し可能である、請求項１７に記載の間仕切り取付け台。
【請求項１９】
前記テザーが細長いストラップを含んでいて、前記テザーの少なくとも一端が爪を含んでいて、前記第１および第２部分のうち対応する１個がテザー爪を取外し可能なように受け入れるスロットを含む、請求項１７に記載の間仕切り取付け台。
【請求項２０】
前記第２部分の上面に適用された高摩擦材料を更に含む、請求項８に記載の間仕切り取付け台。
【請求項２１】
前記第１部分と前記第２部分が接触する位置で、前記取付けユニットの第１部分および第２部分のうち少なくとも１個に高摩擦材料が適用されている、請求項８に記載の間仕切り取付け台。
【請求項２２】
前記圧迫機構がバネを含む、請求項１に記載の間仕切り取付け台。
【請求項２３】
前記取付けヘッドがネックおよび取付けユニットを含んでいて、前記取付けユニットが前記ポールに対してピボット動作できるように前記ネックと前記取付けユニットの間にピボット・ジョイントを更に含む、請求項１に記載の間仕切り取付け台。
【請求項２４】
前記アンカーが、前記アンカー内へ前記ポールボディを押し込むことにより前記ポールの内側に固定されている、請求項１に記載の間仕切り取付け台。
【請求項２５】
前記圧迫機構により押し出されている前記取付けヘッドを急激に取外すことで前記アンカーに加わる力を弱めるための緩衝材を更に含む、請求項１に記載の間仕切り取付け台。
【請求項２６】
複数の入れ子部材を含む細長い可変長伸縮ポールであって、前記ポールは下端と上端を有し、前記ポールの上端が前記ポールの内側部材にあって、長手方向の軸を有する前記ポールと、
前記ポールの内側で上端に近接する位置に固定されているアンカーと、
前記ポールの上端から延びている取付けヘッドであって、前記アンカーの位置に対して前記ポールの長手方向に沿って移動し、前記取付けヘッドが、前記ポールの上端の内部まで延びるネック、およびシート状の材料を取外し可能なように固定する取付けユニットを含んでいて、前記ネックと取付けユニットが、前記ポールに対して前記取付けユニットがピボット動作可能なようにするピボット・ジョイントにより連結されている取付けヘッドと、
前記ヘッドの位置を前記アンカーから遠ざかる外側方向へ圧迫するバネを含む圧迫機構と、
前記取付けヘッドの移動距離を制御することにより前記取付けヘッドが前記ポールの上端から外れるのを防ぐリテナーと、
を含む間仕切り取付け台。
【請求項２７】
前記リテナーが細長いワイヤを含む、請求項２６に記載の間仕切り取付け台。
【請求項２８】
前記アンカーおよびリテナーは、前記圧迫機構が第１の圧迫を受ける第１の位置と、前記取付けヘッドの少なくとも一部が前記ポール内にあって前記圧迫機構が前記第１の圧迫より弱い圧迫を受ける第２の位置との間を前記取付けヘッドが移動するのを許容する、請求項２６に記載の間仕切り取付け台。
【請求項２９】
前記伸縮ポールが更に、隣接するポール部材の位置を相互に固定させるロック機構を含む、請求項２６に記載の間仕切り取付け台。
【請求項３０】
前記ポールの内側部材が前記ポールの他の部材に対するスライド動作を阻害しないよう、前記アンカーが前記ポールの内側部材に固定されている、請求項２６に記載の間仕切り取付け台。
【請求項３１】
前記取付けユニットが、間にシート状の材料を固定する第１および第２部分を含む、請求項２６に記載の間仕切り取付け台。
【請求項３２】
前記取付けヘッドの第１および第２部分が、前記ポールの長手方向に直交する方向へ延びている、請求項３１に記載の間仕切り取付け台。
【請求項３３】
前記第１部分が少なくとも１個のピンを含んでいて、前記第２部分が前記少なくとも１個のピンを受け入れる少なくとも１個の開口部を含む、請求項３１に記載の間仕切り取付け台。
【請求項３４】
前記少なくとも１個のピンと前記少なくとも１個の開口部がスナップ留め関係に係合して、前記第１および第２部分を一緒に固定する、請求項３３に記載の間仕切り取付け台。
【請求項３５】
前記少なくとも１個の開口部が爪穴およびスロットを含んでいて、前記係合する少なくとも１個のピンが保持用ノブを含んでおり、各ピンを係合する爪穴に挿入して、前記爪穴から前記スロット内へ前記ピンをスライドさせ、前記ピンが前記保持用ノブにより前記開口部内で保持されることにより前記第１および第２部分が固定される、請求項３３に記載の間仕切り取付け台。
【請求項３６】
前記第１部分がヘッドを含んでいて、前記第２部分が取外し可能なようにヘッドに連結されたクリップを含む、請求項３１に記載の間仕切り取付け台。
【請求項３７】
前記第１部分が、前記第２部分の少なくとも１個の側面の周辺まで延びる複数のレッグを含む、請求項３１に記載の間仕切り取付け台。
【請求項３８】
前記レッグが更に、前記第２部分の第２表面の周辺まで延び、前記第２表面は、第２部分が第１部分および挿入されたシート状の材料に接触する第２部分の第１表面の反対側にある、請求項３７に記載の間仕切り取付け台。
【請求項３９】
前記第１部分がヘッドを含んでいて、前記第２部分はヘッドと取外し可能なように連結されたクリップを含む、請求項３８に記載の間仕切り取付け台。
【請求項４０】
前記第１および第２部分を連結するテザーを更に含む、請求項３１に記載の間仕切り取付け台。
【請求項４１】
前記テザーが、前記第１および第２部分のうち少なくとも１個から取外し可能である、請求項４０に記載の間仕切り取付け台。
【請求項４２】
前記テザーが細長いストラップを含んでいて、前記テザーの少なくとも一端が爪を含んでいて、前記第１および第２部分のうち対応する１個がテザー爪を取外し可能なように受け入れるスロットを含む、請求項４０に記載の間仕切り取付け台。
【請求項４３】
前記第２部分の上面に適用された高摩擦材料を更に含む、請求項３１に記載の間仕切り取付け台。
【請求項４４】
前記第１部分と前記第２部分が接触する位置で、前記取付けユニットの第１部分および第２部分のうち少なくとも１個に高摩擦材料が適用されている、請求項３１に記載の間仕切り取付け台。
【請求項４５】
前記アンカーが、前記アンカー内へ前記ポールボディを押し込むことにより前記ポールの内側に固定されている、請求項２６に記載の間仕切り取付け台。
【請求項４６】
前記圧迫機構により押し出されている前記取付けヘッドを急激に取外すことで前記アンカーに加わる力を弱めるための緩衝材を更に含む、請求項２６に記載の間仕切り取付け台。
【請求項４７】
下端および上端を有する細長い可変長ポールであって長手方向の軸を有するポールと、
前記ポールの上端に配置され、前記ポールの長手方向に沿って移動する取付けヘッドであって、間にシート状の材料を取外し可能なように固定する第１の部分および第２の部分を含む取付けユニットを含む取付けヘッドと、
前記ヘッドの位置を、前記アンカーから外側方向へ押し出す圧迫機構と、
前記第１および第２部分を連結するテザーであって、前記テザーの第１端と第２端のうち少なくとも１個が、前記第１および第２部分の対応する１個に取外し可能なように固定されているテザーと、
を含む間仕切り取付け台。
【請求項４８】
前記取付けヘッドが前記ポールの上端から延びる、請求項４７に記載の間仕切り取付け台。
【請求項４９】
前記ポールの内側で上端に近い位置に固定されたアンカーを更に含み、前記圧迫機構が前記ヘッドの位置を前記アンカーから遠ざかる外側方向へ押し出す、請求項４７に記載の取付け台。
【請求項５０】
前記テザーが細長いストラップを含んでいて、前記テザーの少なくとも一端が爪を含んでいて、前記第１および第２部分のうち対応する１個がテザー爪を取外し可能なように受け入れるスロットを含む、請求項４７に記載の間仕切り取付け台。
【発明の詳細な説明】
【技術分野】
【０００１】
本出願は、２００４年５月１０日出願の米国仮出願第６０／５６９，５３４号、および２００４年８月３日出願の米国仮出願第６０／５９８，７８２号を優先権主張するものであり、各々の全文を本明細書に引用している。
【背景技術】
【０００２】
間仕切りシステムは、塵、騒音、光、悪臭等に対する障壁として機能することにより、建物や部屋の区画を分離すべく用いられる。建築現場において、間仕切りは、清潔な区域を作業域から保護する、例えば、木製の床を張り替えている区域から、家具や敷物を一時的に保管している区域を保護する場合に有用である。
【０００３】
建築現場の作業員は、間仕切りを設置する際にしばしば素朴な技術を使用する。ある者はカーテンまたは間仕切り材を、床、天井、およびこれに接する壁に単に釘打ち、ねじ留め、またはホッチキス留めする結果、これらの表面が損傷する。他の者は、カーテンまたはプラスチック・シートを壁や天井にテープその他で接着させる。テープは通常、粘着しないが、粘着してしまうと、テープを剥がす際に塗料がテープと一緒に剥がれるか、または接着剤が付着したまま残る。
【０００４】
本明細書で内容を引用している特許文献１に、これらの制約を克服する間仕切り取付けシステムが開示されている。当該システムは、標準のねじを用いて、例えば塗装用ポール等に標準的な伸縮ポールを収容したり、または塗装用ポールを入れ子にする利点があり、各種の市販のカーテンやドレープ材、例えばプラスチックや布シーティング等、との互換性を有する。開示されたシステムは、建築現場の天井、床または壁に損傷その他の痕を残すことなく、設置および撤去できるように設計された「クリーンな」システムである。組み立てが容易且つ素早くでき、また一人の作業員で仕上げることができる。
【０００５】
特許文献１に開示されている一実施形態において、プラスチック取付け台、またはジャッキは、取付けヘッドが取付けられるバネ式プランジャを含んでいる。ジャッキは、ねじ山が切られた接触面において標準の塗装用ポールの最上端に取付けられている。当該システムは耐久性があって、使いやすく、信頼性が高いものの、時としてジャッキがトップヘビーであるとも考えられ、特に、比較的長いポールに取付けられた場合にそうである。また、ジャッキは輸送や配達に際して、比較的嵩張ると考えられる。
【０００６】
【特許文献１】米国特許第５，９２４，４６９号明細書
【特許文献２】米国特許出願第１０／６００，９３９号明細書
【特許文献３】米国特許出願第１０／６００，３００号明細書
【発明の開示】
【課題を解決するための手段】
【０００７】
本発明は、一体式プランジャ・アセンブリを有する間仕切り取付けシステムに関する。一体式プランジャ・アセンブリは、伸縮ポール、例えば標準的な入れ子式の伸縮ポールの端の内部と一体になるよう構成／配置されている。
【０００８】
このように、本発明は、ポール内にプランジャを一体化することにより、トップヘビーでなく、従って使用および設置が容易なシステムを提供する。部品数が少なくて済み、より細身で軽量な設計を行なえるため、梱包および輸送効率が向上する。アンカーが取付けされるポールが入れ子式ポール・システムの一部をなすと仮定すれば、アンカーおよびプランジャは、入れ子式システム内の他のポールに関して、内側のポールが全域を移動することを妨げない。このように、入れ子式ポール・システムの動作は、一体式プランジャ・アセンブリにより阻害されない。
【０００９】
一実施形態において、取付けアセンブリはアンカー、バネ、リテナーワイヤ、およびプランジャを含んでいる。アンカーは、円筒状であって、伸縮ポールのヘッドの内側に取付けられている。アンカーはポールの内側に、例えばポールのボディをアンカーに押し込むことにより固定される。プランジャはポールの内側でアンカーの上方に取付けされ、リテナーワイヤの第１端はプランジャの第１端に固定されている。リテナーワイヤの第２端は、アンカーに対してスライドし、外れるのを防ぐためにアンカーがこれを保持する。アンカーとプランジャの間でバネが圧迫されており、このためプランジャはポールの最上端から外側へ押し出されている。
【００１０】
一実施形態において、取付けヘッドは、自在継手によりプランジャの先端に接続している。ヘッドは、カーテンをプランジャ・アセンブリに固定すべく対応するクリップと係合するように調整されている。プランジャに作用するバネの圧迫により、ヘッドおよびクリップが天井側へ押し出される。保持装置、例えばロープ、チェーン、ファスナー、ワイヤ、コード、ストラップ、またはプラスチック取付具等の形状のテザー（拘束具）を用いてクリップをヘッドに接続する。一実施形態において、保持装置は、カーテンの中央部をプランジャ・アセンブリが支持するような場合にヘッドとクリップの間でカーテンの位置を制約しないよう、ヘッド、クリップまたは両方から取外し可能である。保持装置は、ファスナー、例えばフック、クランプ、クリップ、または締金によりヘッドおよびクリップに固定することができる。一実施形態において、ヘッドおよび／またはクリップは爪付きのテザースロットを含んでいて、テザーはテザースロットと係合する爪または延長部を含んでいて、保持装置をクリップおよび／またはヘッドに取外し可能なように固定できる。
【００１１】
一態様において、本発明は間仕切り取付け台を目的としている。間仕切り取付け台は、下端および上端を有する細長い可変長ポールを含んでいて、ポールは長手方向の軸（以下、長軸という。）を有する。ポールの内側で上端に近接する位置にアンカーが固定されている。ポールの上端から取付けヘッドが延びて、アンカー位置に対してポールの長軸方向に沿って移動する。取付けヘッドは、シート状の材料を取外し可能なように固定する取付けユニットを含んでいる。圧迫機構は、ヘッドの位置をアンカーから遠ざかる外側方向へ押し出す。
【００１２】
一実施形態において、間仕切り取付け台は更に、取付けヘッドの移動距離を制御することにより取付けヘッドがポールから外れるのを防ぐリテナーを含んでいる。別の実施形態において、リテナーは細長いワイヤを含んでいる。別の実施形態において、アンカーおよびリテナーは、圧迫機構が第１の圧迫を受ける第１の位置と、取付けヘッドの少なくとも一部がポール内にあって圧迫機構が第１の圧迫より弱い圧迫を受ける第２の位置との間を取付けヘッドが移動するのを許容する。
【００１３】
別の実施形態において、ポールは、複数の入れ子部材を有する伸縮ポールを含んでいて、ポールの上端が伸縮ポールの内側部材にある。別の実施形態において、伸縮ポールは更に、隣接するポール部材の位置を相互に固定させるロック機構を含んでいる。別の実施形態において、アンカーは、ポールの内側部材がポールの他の部材に対するスライド動作を阻害しないよう、ポールの内側部材に固定されている。
【００１４】
別の実施形態において、取付けユニットは、間にシート状の材料を固定する第１および第２部分を含んでいる。別の実施形態において、取付けヘッドの第１および第２部分は、ポールの長軸に直交する方向へ延びている。別の実施形態において、第１部分は少なくとも１個のピンを含んでいて、第２部分は少なくとも１個のピンを受け入れる少なくとも１個の開口部を含んでいる。別の実施形態において、少なくとも１個のピンと少なくとも１個の開口部がスナップ留め関係に係合して、第１および第２部分を一緒に固定する。別の実施形態において、少なくとも１個の開口部は爪穴およびスロットを含んでいて、係合する少なくとも１個のピンは保持用ノブを含んでおり、各ピンを係合する爪穴に挿入して、爪穴からスロット内へピンをスライドさせ、ピンが保持用ノブにより開口部内で保持されることにより第１および第２部分が固定される。別の実施形態において、第１部分はヘッドを含んでいて、第２部分は取外し可能なようにヘッドに連結されたクリップを含んでいる。
【００１５】
別の実施形態において、第１部分は、第２部分の少なくとも１個の側面の周辺まで延びる複数のレッグを含んでいる。別の実施形態において、レッグは更に、第２部分の第２表面の周辺まで延び、第２表面は、第２部分が第１部分および挿入されたシート状の材料に接触する第２部分の第１表面の反対側にある。別の実施形態において、第１部分はヘッドを含んでいて、第２部分はヘッドと取外し可能なように連結されたクリップを含んでいる。
【００１６】
別の実施形態において、間仕切り取付け台は更に、第１および第２部分を連結するテザーを含んでいる。別の実施形態において、テザーは第１および第２部分のうち少なくとも１個から取外し可能である。別の実施形態において、テザーは細長いストラップを含んでいて、テザーの少なくとも一端が爪を含んでいて、第１および第２部分のうち対応する１個はテザー爪を取外し可能なように受け入れるスロットを含んでいる。
【００１７】
別の実施形態において、第２部分の上面に高摩擦材料が適用されている。別の実施形態において、第１部分と第２部分が当接する位置で、取付けユニットの第１部分および第２部分のうち少なくとも１個に高摩擦材料が適用されている。
【００１８】
別の実施形態において、圧迫機構はバネを含んでいる。
【００１９】
別の実施形態において、取付けヘッドはネックおよび取付けユニットを含んでいて、取付けユニットがポールに対してピボット動作できるようにネックと取付けユニットの間にピボット・ジョイントが提供されている。
【００２０】
別の実施形態において、アンカーは、アンカー内へポールボディを押し込むことによりポールの内側で固定される。
【００２１】
別の実施形態において、間仕切り取付け台は更に、圧迫機構により押し出されている取付けヘッドを急激に取外すことでアンカーに加わる力を弱めるための緩衝材を更に含んでいる。
【００２２】
本発明は、別の態様において、間仕切り取付け台を目的としている。細長い可変長伸縮ポールは、複数の入れ子部材を含んでおり、ポールは下端と上端を有し、ポールの上端はポールの内側部材にあって、ポールは長軸を有する。ポールの内側で上端に近接する位置にアンカーが固定されている。ポールの上端から取付けヘッドが延びて、アンカー位置に対してポールの長軸方向に沿って移動する。取付けヘッドは、ポールの上端の内部まで延びるネック、およびシート状の材料を取外し可能なように固定する取付けユニットを含んでおり、ネックと取付けユニットは、ポールに対して取付けユニットがピボット動作可能なようにするピボット・ジョイントにより連結されている。バネを含む圧迫機構は、ヘッドの位置をアンカーから遠ざかる外側方向へ押し出す。リテナーは、取付けヘッドの移動距離を制御することにより取付けヘッドがポールの上端から外れるのを防ぐ。
【００２３】
本発明は、別の態様においては、間仕切り取付け台を目的としている。細長い可変長ポールは、下端、上端、および長手方向の軸を有する。ポールの上端に取付けヘッドが提供されていて、ポールの長手方向に沿って移動する。取付けヘッドは、間にシート状の材料を取外し可能なように固定する第１部分および第２部分を含んでいる。圧迫機構は、ヘッドの位置をポールから外側方向へ押し出す。テザーは、第１および第２部分を連結し、テザーの第１端および第２端のうち少なくとも１個が、第１および第２部分の対応する１個に取外し可能なように固定されている。
【００２４】
本発明の上で述べた、およびその他の目的、特徴および利点は、添付の図面に示すように、本発明の好適な実施形態のより具体的な記述から明らかになろう。ここに、異なる図面にまたがる同一の参照符号は同一部分を指す。これらの図面は必ずしも実物大ではなく、むしろ本発明の原理の説明に重点が置かれている。
【発明を実施するための最良の形態】
【００２５】
図１は、本発明による一体式プランジャ・アセンブリを含む、入れ子式伸縮ポール・カーテン取付けシステムの側面図である。ポール２０は、互いに対して入れ子式に延びる内側ポール２０Ａ、中間ポール２０Ｂ、および外側ポール２０Ｃを含んでいる。内側、中間、および外側ポール２０Ａ、２０Ｂ  ２０Ｃの相対的な伸縮は通常、ポールを互いに対して回転させることにより設定され、回転の結果、内部ロック機構がその各々の長さを固定する。外部カラー７２Ａ、７２Ｂは、各ポールの間で指その他の物体が挟まれるのを防ぎ、またオプションとして外部ロック機構を提供してポールの各々の長手方向位置を固定することができる。外側ポール２０Ｃの底に設置された、ゴム等の高摩擦材料で形成されたレッグ７４により、ポールが床等の表面に取付けられた際に横方向へ滑るのを防ぐ。
【００２６】
例えば自在継手ボール３０を含むプランジャ２８は、内側ポール２０Ａの最上端から延びてアンカーにより保持される長手方向へ延びるボディを含んでいる。プランジャ２８は、外側へ押し出すことができる。プランジャ２８の押し出しは、例えば、内側ポール２０Ａの内部に設置されたバネにより行なうことができる。プランジャ２８が、内側ポール内へ長手方向に押された場合、バネはプランジャ２８を反対向きに外側へ押し出すように作用する。このように、ポール２０と一体式プランジャ２８は、二つの表面の間、例えば部屋の床と天井の間に圧迫されて取付けられたならば、床と天井の方へ向かって外側へ押し出されて、カーテン取付けシステムおよび付随するカーテン材を所定位置に固定する。
【００２７】
一実施形態において、保持ワイヤ（例えば下記図３Ｂのワイヤ２６参照）およびアンカー（例えば下記図３Ｂのアンカー２２参照）は、プランジャ２８が内側ポール２０Ａの上端から外れるのを防止すべく作用する。オプションのカラー６０は、内側ポール２０Ａの遠位端の上に被せられて、プランジャ２８が中を自由に滑ることができる開口を含んでいる。カラー６０およびプランジャボディ２８にはオプションとして爪が付けられていて、相対的な縦方向の移動を許し、一方、回転運動を制限してプランジャ２８およびこれに取付けられた取付けヘッドがポール２０に対して回転するのを防ぐ。
【００２８】
図２は、一体式プランジャ・アセンブリの分解側面図である。プランジャ・アセンブリは、アンカー２２、バネ２４、リテナーワイヤ２６およびプランジャ２８を含んでいる。アンカー２２は一般に、円筒状であって、柔軟または可鍛性でありしかも弾力的な材料で形成されている。アンカー２２は内側ポール２０Ａ内に、位置がポール２０Ａ内で固定されるように取付けられる。一例として、アンカー２２は内側ポール２０Ａ内の適当な位置且つ内側ポールの上端４４近くに配置されていて、ポール２０Ａの外面には例えばパンチ道具を用いて窪み５６が付けられて（図３Ａ参照）おり、アンカー２２が窪み５６の間に挟まれることによりプランジャ作動範囲を決定するポール２０Ａ内の所定位置に固定される。
【００２９】
リテナーワイヤ２６は、アンカー２２を通って自由にスライドし、アンカー２２から完全に外れるのを防ぐために第１端にエルボ（ひっかけ部）３６を含んでいる。リテナーワイヤの第２端は、プランジャ２８のフランジ３８内に形成された対応する穴４０と係合するフック３４を含んでいる。バネ２４は、リテナーワイヤ２６の回りでアンカー２２とプランジャ２８の間に据付けられている。一実施形態において、リテナーワイヤ２６は、バネ２４より長さが短い。このように、アンカー２２により第１端で支えられたバネ２４は、圧迫されたならば、プランジャ２８に対し外側へ押し出す力を加える一方、同時に、リテナーワイヤ２６はプランジャ２８が内側ポール２０Ａから外れるのを防ぐ。
【００３０】
図３Ａを参照するに、プランジャ２８に対し内向きの力４２が加えられた場合、プランジャ２８は内側ポール２０Ａ内のアンカー２２の方へ圧迫されて、バネ２４はアンカー２２およびプランジャ２８のボディ上のバネ座の間で圧迫される。リテナーワイヤ２６は、アンカー２２を通って自由にスライドすることによりプランジャ２８がポール２０Ａ内で移動できるようにする。ここで図３Ｂを参照するに、内向きの力４２が逃がされた場合、バネ２４の圧迫はプランジャ２８に対して外側への力を加えるように作用して、プランジャ２８のボディ３２を内側ポール２０Ａから外側へ引き延ばす。リテナーワイヤ２６の第１端におけるエルボ３６は、プランジャ２８、リテナーワイヤ２６およびバネ２４が内側ポール２０Ａの端から外れるのを防ぎ、従ってプランジャ２８が外側へ移動するのを制限する。
【００３１】
図に示す実施形態において、アンカー２２は、窪み５６においてアンカー２２内へ内側ポール２０Ａのボディを押し込むことにより所定位置に保持および固定される。あるいは、アンカー２２は、機械的リベット付け、化学的結合、その他の方法でポール２８の内側の所定位置に取付けられてよい。好適には、内側ポール２０Ａの内側部材内にアンカーを固定すべく用いる機構は、中間ポール２０Ｂまたは外側ポール２０Ｃに対して内側ポール２０Ａを伸縮させる際の妨げとならない。
【００３２】
一実施形態において、内側ポール２０Ａの上端４４（図２参照）に相対的なアンカー２２の位置は、リテナーワイヤ２６の長さと同じく、プランジャ２８がアンカー２２に対して完全に引き延ばされた位置にある場合に、リテナーワイヤのフック３４が内側ポールの上端４４をちょうど越える箇所まで突き出て、最初にカラー６０を除去しなければフック３４とプランジャ２８の穴４０との接触面に到達しないように選ばれている。このように、不用意にプランジャ２８を除去することが防止され、一方、部品交換が必要な場合には保守業務での操作を許す。
【００３３】
図４は、本発明による一体式プランジャ・アセンブリの要素の拡大図である。プランジャ２８は、例えば成形Ｌｅｘａｎ（商標）、または、ポリカーボネート材料等の軽量、強力、および長寿命の材料から形成されている。アンカー２２は、円筒形のアンカーボディ５０、円筒形の緩衝材５２、およびワッシャ５４を含んでいる。アンカーボディ５０は、バネ２４の端の座面を提供するネック４８を含んでいる。アンカーボディ５０は、例えば、成形ＡＢＳ（商標）から形成されている。アンカーボディ５０の外径は好適には、それが取付けられているポール２０の内径より僅かに小さい。円筒状の緩衝材５２は、アンカーボディ５０内に据付けられていて、内側ボディ５０のネック端で内壁に対して静止している。緩衝材５２は、ポリウレタン等の衝撃吸収材料から形成されていて、適当な程度に長手方向に圧迫すべくチューブ状である。ワッシャ５４は、アンカーボディ５０の後部端にある座面にスナップ留めされて、緩衝材５２をボディ５０内の所定位置に固定する。
【００３４】
プランジャ２８に作用している内向きの力が解放された場合に再び図３Ｂを参照するに、リテナーワイヤ２６のエルボ３６がアンカー２２のワッシャ５４を当接するまで、バネ２４により外向きの力がプランジャ２８に加えられる。これが生じた場合、アンカー２２は、アンカー２２に衝突するリテナーワイヤ２６のエルボ３６に作用しているバネの加速の影響により、強い衝撃を受ける。再び図４を参照するに、アンカー２２の緩衝材５２は、衝突の衝撃を吸収すべく作用し、これによりシステム要素の極端な損耗を防ぎ、部品の寿命を延ばす。
【００３５】
プランジャ２８は、プランジャの基部から延びるフランジ３８を含んでいる。フランジ３８は、切り欠き３９および穴４０を含んでいる。リテナーワイヤ２６のフック３４がフランジ３８に対して所定の角度で合わさったならば、フック３４の端が穴４０に係合し、一方、フック３４の近傍にあるリテナーワイヤ２６のボディが切り欠き３９内に静止してフック３４の端がホール４０に到達できるようになる。フック３４と穴４０が係合したならば、バネ２４をフランジ３８の回りに据付けることができる。バネの内径がフランジ３８の幅より大きく、外径はプランジャ２８のボディの直径より小さいことにより、フランジ３８内にバネ２４が適切に据付けられることが好適である。バネ２４が取付けられたならば、アンカー２２とプランジャ２８の間に外向きの力を及ぼす一方、同時に、リテナーワイヤ２６はプランジャ２８がアンカー２２から外れるのを防ぐ。バネ２４はこのように、プランジャ２８とアンカー２２の間で圧迫され、これによりプランジャ２８をポール２０から外側へ押し出すことができる。
【００３６】
図５Ａ、５Ｂは各々、カラー６０の上面図および側面図である。カラー６０は、内側ポール２０Ａの端上へ圧着される内側座金６１を含んでいる。ストッパ６７は、ポール端４４がカラー６０全体を通ってスライドするのを防ぐ。カラー６０は更に、プランジャ２８のボディに沿って長手方向へ延びるレース７２と係合する内側ガイド６２（図６Ａ、６Ｂ参照）を含んでいる。カラー６０の係合ガイド６２およびプランジャ２８のレース７２は
プランジャが取付けられているポール２０に対してプランジャ２８が回転するのを防ぐ。
【００３７】
図６Ａ、６Ｂは各々、プランジャ２８の側面図および底面図である。プランジャ２８は、第１端に自在継手ボール３０および第２端にフランジ３８を有して長手方向へ延びたボディ３２を含んでいる。上述のようにカラー６０内でガイド６２と係合すべくプランジャボディ３２に沿ってレース７２が形成されている。レース７２とガイド６２の相互作用により、プランジャ２８が取付けられているポール２０に対してプランジャ２８が回転するのを防ぐ。フランジ３８のボディは湾曲した断面形状を有しているため、リテナーワイヤ２６が取付けられた際にプランジャボディ３２の中央軸と整列して滑らかに移動することが可能になる。プランジャボディ３２の下側に形成された突起７４がバネ２４を保持してフランジ３８の強度が増す。
【００３８】
自在継手ボール３０は、カーテン取付け用のヘッド、例えば米国特許第５，９２４，４６９号、２００３年６月２０日出願の米国特許出願第１０／６００，９３９号、および２００３年６月２０日出願の米国特許出願第１０／６００，３００号に記載されているヘッドと係合すべく適合されていて、各々内容を本明細書に引用している。ねじ山付き接触面、圧着接触面、ヒンジ接触面、および一体式ヘッド接触面を含む他の接触面も等しく本発明に適用できる。本発明は、各種のポール・アセンブリに適用でき、入れ子式アセンブリへの適用に限定されない。また、上述の実施形態は３段伸縮ポールを記述しているが、本発明は、２段伸縮ポールを含む他の種類の伸縮ポールにも等しく適用できる。更に、上述の実施形態ではアンカーが伸縮ポール・アセンブリの内側ポールの内部に取付けられている状態を示すが、アンカーはオプションとして伸縮ポール・アセンブリの中間または外側伸縮ポールに取付けることができる。
【００３９】
本発明によるプランジャ２８の自在継手ボール３０と接触するのに適している連結装置の、図７Ａはヘッドの底面図、図７Ｂはクリップの底面斜視図である。ヘッド１０６は、プランジャ２８のボール３０（図６Ａ参照）を受け入れるソケット３１を含んでいる。ソケット３１とボール３０は組合わされて自在継手を形成する。一実施形態において、ソケット３１は、挿入された際にボール３０の回りで伸長されてスナップ留め関係を提供する弾性を有する変形可能な歯１５５を含んでいる。図に示す実施形態において、ヘッドは一般に、平坦なプレートの形状をなしており、開口部１１０Ａおよび１１０Ｂを含んでいる。開口部１１０Ａ、１１０Ｂは、比較的狭いスロット１５３内へ延びる比較的大きな爪穴１５１の形状をなしている。開口部１１０Ａ、１１０Ｂの側壁１５２から適度な間隔を空けて湾曲溝１２７がヘッド１０６のボディを貫通して形成されている。湾曲溝１２７は開口部の側壁１５２に適度な柔軟性を与える。ヘッド１０６は更に、自在継手ソケット３１の歯１５５の外壁から外向きに延びるリブ１２９を含んでいる。リブ１２９は、自在継手ソケット３１とヘッド１０６に構造上の完全性を与える。ヘッド１０６は更に、爪付きのテザースロット１２３を含んでおり、その詳細および動作について以下に述べる。
【００４０】
図７Ｂは、本発明のクリップ１０８の底面図である。本例では、クリップ１０８は一般に平面プレートの形状をなしており、下面から延びる２本のピン１１２を含んでいる。ピン１１２は、遠位端に保持用ノブまたはローブ１１３を含んでいる。クリップ１０８は、ヘッド１０６と同様に、爪付きテザースロット１２５を含んでいる。一実施形態において、ピン１１２、保持用ノブ１１３、および爪付きのテザースロット１２５は、クリップが直引成形加工により形成することができる。
【００４１】
図８Ａ〜８Ｃは、図７のクリップおよびヘッドの側面図であって、本発明に従い、クリップ１０８をヘッド１０６に連結する工程を逐次示す。図８Ａに示すように、自在継手ボール３０がヘッド１０６のソケット３１に挿入される。このように、ヘッド１０６はプランジャ２８およびポール２０に対して３個の自由度で回転可能である。ヘッド１０６の開口部１１０Ａ、１１０Ｂは、クリップ１０８のピン１１２を収容すべく構成／配置されている。本例では、２本のピンが示されている、異なる個数のピンを有して係合するクリップとヘッド、および対応する開口部も同様に本発明に適用可能である。また、他の実施形態では、ピン１１２をヘッド１０６に取付けることができ、且つ係合する開口部１１０Ａ、１１０Ｂをクリップ１０８の上に形成することができる。また、他の実施形態では、１個のクリップとヘッドの上のピン１１２は、もう一方のクリップとヘッドの上の係合開口部にスナップ留めしてスナップ装着関係になるように構成／配置することができる。
【００４２】
クリップ１０８は、オプションとしてテザー１１５によりヘッド１０６に接続されるが、これはいくつかの用途において、対応するヘッドからクリップが外れるのを防ぐために求められる。テザー１１５は、例えば、ロープ、ファスナー、ワイヤ、コード、チェーン、ストラップまたはプラスチック取付具を含んでいる。テザー１１５は、クリップ１０８およびヘッド１０６のいずれか、または両方から取外し可能であってよい。あるいは、テザー１１５は、クリップ１０８とヘッド１０６のいずれかまたは両方と一体化されていてもよい。
【００４３】
図８Ａにおいて、クリップ１０８のピン１１２および保持用ノブ１１３は、ヘッド１０６の開口部１１０Ａ、１１０Ｂの大きい爪穴１５１の上に配置されている。この時、取付けたいカーテン（図示せず）をクリップ１０８とヘッド１０６の間に置く。図８Ｂにおいて、クリップ１０８のピン１１２および保持用ノブ１１３を、ヘッド１０６の開口部１１０Ａ、１１０Ｂの爪穴１５１に挿入する。この時、カーテン材がピン１１２のボディ周辺まで延びるピン１１２および開口部１１０Ａ、１１０Ｂの区域を除き、カーテン材は基本的に、クリップ１０８の下面とヘッド１０６の上面の間に置かれていている。クリップ１０８およびヘッド１０６は次いで、矢印１５７で示すように、第１の方向に互いに押し付けられて、ピン１１２のボディがヘッド１０６の開口部１１０Ａ、１１０Ｂの内側側壁１５２と係合するようにする。湾曲溝１２７により、開口部の側壁１５２がピン１１２のボディの回りに曲げられ、ピン１１２が開口部１１０Ａ、１１０Ｂの比較的狭いスロット１５３に据付けられた際にクリップ１０８が所定位置にスナップ留めする。図８Ｃにおいて、クリップ１０８のピン１１２が開口部のスロット１５３に据付けられ、保持用ノブ１１３がヘッド１０６の下面に当接することにより、クリップ１０８がヘッド１０６に固定されて、それらの間の所定位置にカーテン材（図示せず）が保持される。
【００４４】
本実施形態において、ヘッド１０６および係合クリップ１０８は、伸縮ポール２０およびプランジャ２８の長軸に直交する方向へ延びる。ヘッドが長く延びるほど、ヘッド／クリップとカーテン材の接触面積が大きくなり、従って接触がより強固になる。また、接触面積が大きいほど、カーテンが自重による、または外部から加えられる力による負荷のためにヘッドから千切れるのを防ぐ。
【００４５】
図９Ａ〜９Ｄは、図７の連結装置の異なる構成の斜視図であり、クリップ１０８がヘッド１０８から外れた際にクリップ１０８をヘッド１０６に連結するための保持装置またはテザー１１５を含んでいる。図９Ａにおいて、クリップ１０８はテザー１１５によりヘッド１０６に繋がれている。図９Ｂにおいて、カーテン材３３は、ヘッド１０６とクリップ１０８の間に置かれている。この場合、テザー１１５は、クリップ１０８から取外されており、ヘッド１０６だけに接続されている。テザー１１５を取外すことにより、間仕切り取付け台の連結装置をカーテンの縁部分ではなく、カーテンの中央部に取付けることができる。図９Ｃにおいて、テザー１１５はヘッド１０６から取外されており、クリップ１０８だけに固定されている。図９Ｄにおいて、テザー１１５はヘッド１０６とクリップ１０８の両方から取外されている。
【００４６】
図１０Ａに、図９Ａ〜９Ｄのテザー１１５を図解する。本実施形態において、テザー１１５は細長くて柔軟なコード、ストランド、またはワイヤの形状であって、第１および第２端にＴ字状の端部または爪１２１Ａ、１２１Ｂを含んでいる。一実施形態において、テザーはナイロン材の細片を含んでいる。図１０Ｂは、本発明に従い、ヘッドおよび／またはクリップ１０６、１０８の爪付きテザースロット内へ挿入された際のテザーの接触面の拡大図である。テザー１１５のＴ字状の爪１２１Ａは、Ｔ字状の爪付きのテザースロット１２３、１２５内へ挿入される。Ｔ字状のテザー爪１２１Ａは、テザースロット１２３、１２５の座面１１９、１１７内に据付けられて保持される。一実施形態において、Ｔ字状のテザー爪１２１Ａは、弾性的に変形可能な材料で形成されていて、装着者により座面１１９、１１７内へ圧着される。
【００４７】
図１０Ｃは、連結関係にあるヘッド１０６とクリップ１０８の底面図であって、本発明によるテザー１１５の動作を示す。図１０Ｃにおいて、テザー１１５はヘッド１０６とクリップ１０８の両方に連結されている。この図で保持用ノブ１１３が描かれており、クリップ１０８がヘッド１０６から垂直に外れるのを防ぐ。ヘッド１０６およびクリップ１０８の各々が、爪付きのテザースロット１２３、１２５を含んでいる。爪付きのテザースロット１２３、１２５は各々、Ｔ字状の開口部および対応する座面１１９、１１７を有し、座面はヘッド１０６およびクリップ１０８の各々のボディ内部へ延びる。テザー１１５の対応するＴ字状の爪１２１Ａ、１２１Ｂは、爪付きテザースロット１２３、１２５のＴ字状の開口部内に配置されていて、座面１１９、１１７内に据付けられる。このように、テザー１１５は、クリップ１０８およびヘッド１０６の両方または一方に取付けられる。
【００４８】
別の実施形態において、ヘッド１０６および／またはクリップ１０８はテザー機構により、プランジャ２８またはポール２０に、あるいはカーテン取付けシステムの他の部品に繋ぐことができる。
【００４９】
図１１Ａ〜１１Ｅに、本発明によるカーテン装着方法を示す。図１１Ａにおいて、装着者８６は部屋のどの部分を間仕切るかを決定する。装着者８６は、適当なサイズのカーテン３３を選び、一体式プランジャ・アセンブリを備えた１個以上のカーテン取付け伸縮ポール２０を選ぶ。テザー１１５によりクリップ１０８がヘッド１０６に取付けられている。
【００５０】
図１１Ｂにおいて、装着者８６は、カーテン３３を持ち上げる前にクリップ１０８を用いてカーテン３３をヘッド１０６に取付ける。例えば図７から１０に示す上述の方法により、クリップ１０８を用いてカーテン３３をヘッド１０６に固定する。カーテン３３の中央部がヘッド１０６およびクリップ１０８により固定されたならば、テザー１１５を取外すことができる。
【００５１】
図１１Ｃにおいて、伸縮ポール２０、一体式プランジャ・アセンブリ、ヘッド１０６、およびクリップ１０８を用いてカーテン３３を天井１３２まで持ち上げる。ポール２０の長さを調整して適切に配置し、装着者８６はポール２０、ヘッド１０６、クリップ１０８、およびカーテン３３を天井１３２に押し付けて一体式プランジャ・アセンブリのバネを圧迫し、カーテンを天井に対して所定位置に圧迫する。
【００５２】
図１１Ｄにおいて、カーテン３３を天井１３２に対して圧迫しているヘッド１０６と所定位置にある第１の取付け台９２を示す。これに続いて、カーテン３３の第２部分が第２取付け台９４に連結され、第２取付け台９４は第１取付け台９２から数フィートの所定位置に持ち上げられる。
【００５３】
図１１Ｅにおいて、第１取付け台９２と第２取付け台９４の間のカーテン３３の長さに張力が掛けられて、第２取付け台９４が配置される。この取付けに際して、カーテン３３の下部がゴムフィート７４の下にたくし込まれてカーテン３３に張力を加え、カーテン３３を床１３４に固定する。より複雑または大きな間仕切り形状に対する用途および必要に応じて、更なる取付け台を追加してもよい。
【００５４】
図１２Ａ、１２Ｂは各々、本発明による高摩擦面を備えたクリップの実施形態の上面および底面図である。図１２Ｃは、本発明に従いカーテンをヘッドに連結している、図１２Ａ、１２Ｂのクリップの側面図である。
【００５５】
図１２Ａを参照するに、クリップ１０８はオプションとして上面に高摩擦材表面パッド１４１または複数のパッドを含んでいてよい。表面パッド１４１は、カーテン取付けシステムと、部屋の天井等、当接する取付け面との接触点として作用する。このように、表面パッド１４１は、カーテン取付けシステムと、これに当接する取付け面との間に高摩擦の接触面を提供することにより、設置されたカーテン取付けシステムが当接する取付け面に対して滑り難くなり、従って、ポール２０Ｃの底端に適用された高摩擦材料フット７４（図１参照）と合わせて作用して、当該システムに横方向に対する剛性を与える。好適には、表面パッド１４１は、ゴム、フォーム、シリコーン主体の材料等、弾性を有して圧迫可能な高摩擦材料で形成されている。
【００５６】
図１２Ｂを参照するに、クリップ１０８はオプションとして更に、あるいは代替的に、高摩擦材料カーテン・パッド１４３または複数のパッドを含んでいてよい。カーテン・パッド１４３は、ヘッドとクリップ１０８の間に取付けられたカーテンが滑ることを防止すべく作用する。好適には、カーテン・パッド１４３は、ゴム、フォーム、シリコーン主体の材料等、弾性を有して圧迫可能な高摩擦材料で形成されている。
【００５７】
図１２Ｃのクリップおよびヘッドシステムの組み立て側面図において、外側へ押し出されたプランジャ２８により加えられた圧力がヘッド１０６、カーテン３３、カーテン・パッド１４３、クリップ１０８、および表面パッド１４１を介して作用することがわかる。このように、カーテン３３は、カーテン・パッドに作用する力により、クリップ１０８とヘッド１０６の間に保持され、当接する取付け面に相対的な取付けシステムの位置が、表面パッド１４１に作用する力により固定される。
【００５８】
一実施形態において、表面パッド１４１およびカーテン・パッド１４３は、成形工程において同時に形成される。例えばカーテン・パッドの位置と一致する穴が、クリップ１０８のボディを貫通して形成される。クリップ１０８は、上部に表面パッド１４１を定め、底部にカーテン・パッド１４３を定めるようにパターン付けされた金型内に置かれ、米国イリノイ州マッケンリーにあるＧＬＳ社から販売されているＶｅｒｓａｆｌｅｘ（商標）等の溶融高摩擦材料が金型内に注入されて穴を通って流される。硬化したならば、表面パッド１４１およびカーテン・パッド１４３を含む一体式パッドが単一ステップで形成される。
【００５９】
別の実施形態において、カーテン・パッド１４３はヘッド１０６の上面、すなわちヘッド１０６がカーテン接触面においてクリップ１０８と接触する面に提供される。
【００６０】
図１３Ａは、本発明によるヘッド１０６Ａおよびクリップ１０８Ａアセンブリの別の実施形態の斜視図である。図１３Ｂは、本発明に従いカーテンをヘッドに連結する、図１３Ａのクリップおよびヘッドの組み立て側面図である。
【００６１】
図１３Ａを参照するに、ヘッド１０６Ａは実質的に平坦な上面を含んでいる。対応するクリップ１０８Ａは、ヘッド１０６Ａの側壁の回りに巻かれるように構成されたレッグ１０９の組を含んでいる。これらのレッグは、ヘッドの上部へスナップ留めするか、あるいはヘッド１０６の端の回りをスライドするように構成することができる。レッグ１０９上のタブ１９１は、ヘッドボディの角および下側と接触して、クリップ１０８Ａをヘッド１０６Ａに固定する。本実施形態において、カーテン・パッド１４３はヘッド１０６Ａの上面に配置されている。
【００６２】
図１３Ｂのクリップおよびヘッドシステムの組み立て側面図において、外側に押し出されたプランジャ２８により加えられた圧力がヘッド１０６Ａ、カーテン・パッド１４３、カーテン３３、クリップ１０８Ａ、および表面パッド１４１に作用することがわかる。このように、カーテン３３はカーテン・パッド１４３に作用する力によりクリップ１０８Ａとヘッドが１０６Ａの間に保持され、表面パッド１４１に作用する力により、取付けシステムの位置が当接する取付け面に対して保持される。
【００６３】
別の実施形態では、レッグ１０９を１０６Ａヘッドに取付けることができ、レッグ１０９によりヘッドを受け入れてこれに固定されるようにクリップ１０８Ａを構成することができる。また、別の実施形態では、一方のクリップおよびヘッドのレッグを、他方のクリップおよびヘッドのボディ内に形成された対応する溝その他の捕捉部材と係合するように構成／配置することができる。
【００６４】
他の種類のクリップ、ヘッド、カーテン取付け機構等も同様に本発明に適用でき、上で引用している米国特許第５，９２４，４６９号、２００３年６月２０日出願の特許出願第第１０／６００，９３９号、および２００３年６月２０日出願の米国特許出願第１０／６００，３００号に開示されているクリップ、ヘッド、およびカーテン取付け機構が含まれる。
【００６５】
本発明について、特にその好適な実施形態を参照しつつ図示および記述してきたが、当業者であれば、添付の請求項に定義された本発明の概念および範囲から逸脱することなく形状および詳細部分に各種の変更を加えることが可能なことを理解されよう。
【図面の簡単な説明】
【００６６】
【図１】本発明による一体式プランジャ・アセンブリを組み込んだカーテン取付けシステムの側面図である。
【図２】図１の一体式プランジャ・アセンブリの分解側面図である。
【図３Ａ】本発明による、プランジャが圧迫された状態の一体式プランジャ・アセンブリの組み立て断面側面図である。
【図３Ｂ】本発明による、プランジャが完全に延ばされた一体式プランジャ・アセンブリの組み立て断面側面図である。
【図４】本発明による、一体式プランジャ・アセンブリの要素の分解拡大斜視図である。
【図５Ａ】本発明による、一体式プランジャ・アセンブリのカラーの上面および斜視側面図である。
【図５Ｂ】本発明による、一体式プランジャ・アセンブリのカラーの上面および斜視側面図である。
【図６Ａ】本発明による、一体式プランジャ・アセンブリのプランジャの斜視側面および底面図である。
【図６Ｂ】本発明による、一体式プランジャ・アセンブリのプランジャの斜視側面および底面図である。
【図７Ａ】本発明による、連結装置のヘッドの底面図である。
【図７Ｂ】本発明による、連結装置のクリップの底面図である。
【図８Ａ】本発明に従い、クリップをヘッドおよび一体式プランジャ・アセンブリに連結する工程を順に示す、図７Ａ、７Ｂのクリップおよびヘッドの側面図である。
【図８Ｂ】本発明に従い、クリップをヘッドおよび一体式プランジャ・アセンブリに連結する工程を順に示す、図７Ａ、７Ｂのクリップおよびヘッドの側面図である。
【図８Ｃ】本発明に従い、クリップをヘッドおよび一体式プランジャ・アセンブリに連結する工程を順に示す、図７Ａ、７Ｂのクリップおよびヘッドの側面図である。
【図９Ａ】本発明に従い、クリップがヘッドから取外された際に、クリップをヘッドに保持する保持装置またはテザーを含む、図７Ａ、７Ｂの連結装置の斜視図である。
【図９Ｂ】本発明に従い、クリップがヘッドから取外された際に、クリップをヘッドに保持する保持装置またはテザーを含む、図７Ａ、７Ｂの連結装置の斜視図である。
【図９Ｃ】本発明に従い、クリップがヘッドから取外された際に、クリップをヘッドに保持する保持装置またはテザーを含む、図７Ａ、７Ｂの連結装置の斜視図である。
【図９Ｄ】本発明に従い、クリップがヘッドから取外された際に、クリップをヘッドに保持する保持装置またはテザーを含む、図７Ａ、７Ｂの連結装置の斜視図である。
【図１０Ａ】図９Ａ〜９Ｄのテザーを示す図である。
【図１０Ｂ】本発明に従い、テザー爪がヘッドおよび／またはクリップの爪付きスロットに挿入される際の、テザー爪の接触面の拡大図である。
【図１０Ｃ】本発明によるテザーの動作を示す、連結関係にあるヘッドとクリップの底面図である。
【図１１Ａ】本発明によるカーテン取付けシステムの取付け手順を示す図である。
【図１１Ｂ】本発明によるカーテン取付けシステムの取付け手順を示す図である。
【図１１Ｃ】本発明によるカーテン取付けシステムの取付け手順を示す図である。
【図１１Ｄ】本発明によるカーテン取付けシステムの取付け手順を示す図である。
【図１１Ｅ】本発明によるカーテン取付けシステムの取付け手順を示す図である。
【図１２Ａ】本発明による、高摩擦上面および高摩擦下面を有するクリップの実施形態の各々斜視図ヘッドおよび底面図である。
【図１２Ｂ】本発明による、高摩擦上面および高摩擦下面を有するクリップの実施形態の各々斜視図ヘッドおよび底面図である。
【図１２Ｃ】本発明に従い、カーテンをヘッドに連結している図１２Ａ、１２Ｂのクリップの側面図である。
【図１３Ａ】本発明による、クリップおよびヘッド・アセンブリの別の実施形態の斜視図である。
【図１３Ｂ】本発明に従いカーテンをヘッドに連結する、図１３Ａのクリップおよびヘッドの組み立て側面図である。
【図１】
2007537378.tif 000003
【図２】
2007537378.tif 000004
【図３Ａ】
2007537378.tif 000005
【図３Ｂ】
2007537378.tif 000006
【図４】
2007537378.tif 000007
【図５Ａ】
2007537378.tif 000008
【図５Ｂ】
2007537378.tif 000009
【図６Ａ】
2007537378.tif 000010
【図６Ｂ】
2007537378.tif 000011
【図７Ａ】
2007537378.tif 000012
【図７Ｂ】
2007537378.tif 000013
【図８Ａ】
2007537378.tif 000014
【図８Ｂ】
2007537378.tif 000015
【図８Ｃ】
2007537378.tif 000016
【図９Ａ】
2007537378.tif 000017
【図９Ｂ】
2007537378.tif 000018
【図９Ｃ】
2007537378.tif 000019
【図９Ｄ】
2007537378.tif 000020
【図１０Ａ】
2007537378.tif 000021
【図１０Ｂ】
2007537378.tif 000022
【図１０Ｃ】
2007537378.tif 000023
【図１１Ａ】
2007537378.tif 000024
【図１１Ｂ】
2007537378.tif 000025
【図１１Ｃ】
2007537378.tif 000026
【図１１Ｄ】
2007537378.tif 000027
【図１１Ｅ】
2007537378.tif 000028
【図１２Ａ】
2007537378.tif 000029
【図１２Ｂ】
2007537378.tif 000030
【図１２Ｃ】
2007537378.tif 000031
【図１３Ａ】
2007537378.tif 000032
【図１３Ｂ】
2007537378.tif 000033
【国際調査報告】
2007537378.tif 000034
2007537378.tif 000035
2007537378.tif 000036